(57)【特許請求の範囲】
【請求項１】
コンベヤベルト（３）を備えたカーブベルトコンベヤであって、前記コンベヤベルト（３）は、外縁を形成する縁部の領域に係合エレメント（８）を有しており、該係合エレメントは、対になって配置された複数のローラ（２０）によってガイドされており、前記ローラ（２０）の各対は１つの保持エレメント（１０）に配置されている、コンベヤベルト（３）を備えたカーブベルトコンベヤにおいて、
前記保持エレメント（１０）は、１つの底面（１１）と２つの脚（１２，１３）とを備えたＵ字形プロフィールとして形成されており、
前記ローラ（２０）の各々は、対応するローラホルダ（２５）を介して、前記Ｕ字形プロフィールの互いに向かい合って位置する前記両脚（１２，１３）に取り付けられていて、
前記ローラホルダ（２５）は前記両脚（１２，１３）の間に配置されており、
少なくとも１つのローラの回転軸（３５）が、前記Ｕ字形プロフィールの前記脚（１２，１３）の間で平行に位置する１つの平面において旋回可能であることを特徴とする、コンベヤベルトを備えたカーブベルトコンベヤ。
【請求項２】
前記ローラホルダ（２５）は、前記Ｕ字形プロフィールの互いに向かい合って位置する前記脚（１２，１３）の内面に取り付けられている、請求項１記載のカーブベルトコンベヤ。
【請求項３】
少なくとも１つの前記ローラホルダ（２５）及び前記Ｕ字形プロフィールの各脚（１２，１３）は２つの固定点を有しており、前記コンベヤベルト（３）に近い方の前記固定点（２１，２６）は、該固定点（２１，２６）を中心とした前記ローラホルダ（２５）の回転運動を可能にし、前記コンベヤベルト（３）から遠い方の前記固定点（２２，２３，２７）は、２つの位置の間で選択可能であり、一方の位置では前記ローラ（２０）はコンベヤベルト（３）に係合していて、他方の位置では前記ローラは前記コンベヤベルト（３）を解放する、請求項１又は２記載のカーブベルトコンベヤ。
【請求項４】
前記Ｕ字形プロフィールの前記脚（１２，１３）の間の間隔が、前記ローラ（２０）の直径よりも大きい、請求項１から３までのいずれか１項記載のカーブベルトコンベヤ。
【請求項５】
前記ローラホルダ（２５）は操作レバー（２９）を有しており、該操作レバーは機械的に変形可能であって、これにより前記ローラホルダ（２５）の前記固定点（２２，２３，２７）は可逆的に解除可能である、請求項１から４までのいずれか１項記載のカーブベルトコンベヤ。
【請求項６】
１つの固定点は、前記ローラホルダの前記操作レバー及び前記Ｕ字形プロフィールの前記脚に設けられた、互いに対応する係止エレメントによって形成されている、請求項５記載のカーブベルトコンベヤ。
【請求項７】
前記操作レバー（２９）は係止突起（２７）を有しており、該係止突起は内側から、前記Ｕ字形プロフィールの前記脚（１２，１３）に設けられた複数の係止切欠（２２，２３）のうちの１つにおいて可逆的に位置固定可能である、請求項５又は６記載のカーブベルトコンベヤ。
【請求項８】
前記ローラホルダ（２５）は、前記コンベヤベルト（３）に近い方の前記固定点の領域と前記ローラの受容部の領域で剛性的に形成されており、前記ローラホルダは、前記コンベヤベルトから遠い方の固定点の領域で、低い剛性で形成されている、請求項３から７までのいずれか１項記載のカーブベルトコンベヤ。
【請求項９】
前記ローラホルダは、前記操作レバー（２９）への移行領域で材料脆弱部（４０）を備えた側方エレメント（３９）を有している、請求項８記載のカーブベルトコンベヤ。
【請求項１０】
前記Ｕ字形プロフィールの前記脚（１２，１３）は、１つのローラ対を形成する２つのローラ（２０）の間に切欠（１８）を有している、請求項１から９までのいずれか１項記載のカーブベルトコンベヤ。
【請求項１１】
一体的に形成されたＵ字形プロフィールに４つのローラが配置されており、そのうちの２つのローラは、コンベヤベルトの上行側用のローラ対を形成しており、別の２つのローラは、コンベヤベルトの下行側用のローラ対を形成している、請求項１から１０までのいずれか１項記載のカーブベルトコンベヤ。
【請求項１２】
前記Ｕ字形プロフィールの前記脚（１２，１３）は、前記ローラ対の間の領域に切欠（２８）を有している、請求項１１記載のカーブベルトコンベヤ。
【請求項１３】
対になって配置された少なくとも２つのローラが配置されている、請求項１から１２までのいずれか１項記載のカーブベルトコンベヤ用の保持エレメントにおいて、
前記保持エレメントは、１つの底面と２つの脚とを有したＵ字形プロフィールとして形成されていて、
前記ローラ（２０）は、対応するローラホルダ（２５）を介して、前記Ｕ字形プロフィールの互いに向かい合って位置する前記脚（１２，１３）に取り付けられていることを特徴とする、カーブベルトコンベヤ用の保持エレメント。
【発明の詳細な説明】
【技術分野】
【０００１】
本発明は、コンベヤベルトを備えたカーブベルトコンベヤであって、前記コンベヤベルトは、外縁を形成する縁部の領域に係合エレメントを有しており、該係合エレメントは、対になって配置された複数のローラによってガイドされており、前記各ローラ対は１つの保持エレメントに配置されている、コンベヤベルトを備えたカーブベルトコンベヤに関する。さらに本発明は、このようなカーブベルトコンベヤにおいて使用するための、ローラ対が配置される保持エレメントに関する。
【０００２】
冒頭で述べた形式のカーブベルトコンベヤは、ＤＥ１０２００６０２４５３５Ｂ４号明細書若しくはＥＰ２０２７０４４Ａ１号明細書に記載されている。外側の曲率半径を有する領域には多数のローラ対が配置されており、これらのローラ対は、コンベヤベルトのビード状の縁部に係合し、これによりコンベヤベルトをガイドしている。この場合、鉛直方向ではそれぞれ４つのローラが１つの保持エレメント内に互いに上下して配置されており、上方のローラ対はコンベヤベルトの上行部分をガイドしていて、下方のローラ対はコンベヤベルトの下行部分をガイドしている。この保持エレメントでは、ローラはその回転軸と共に、レバーを介して偏心的に、即ち旋回エレメントの回転軸線に対して平行かつ間隔を置いて支承されており、旋回可能である。
【０００３】
別の手段が例えば、ＥＰ２２７５３６５Ａ１号明細書により公知であり、この公知のものでは、ローラ対の外側のローラが、外側に向かって旋回可能なＣ字型の湾曲部材に配置されている。
【０００４】
本発明の課題は、冒頭で述べた形式のカーブベルトコンベヤであって、特にガイドローラの領域で極めて簡単かつ安定的に構成されているカーブベルトコンベヤを提供することである。
【０００５】
この課題は、請求項１の特徴を備えたカーブベルトコンベヤによって解決される。本発明の有利な別の構成は従属請求項に記載されている。
【０００６】
コンベヤベルトを備えたカーブベルトコンベヤであって、前記コンベヤベルトは、外縁を形成する縁部の領域に係合エレメントを有しており、該係合エレメントは、対になって配置された複数のローラによってガイドされており、前記ローラの各対は１つの保持エレメントに配置されている、コンベヤベルトを備えたカーブベルトコンベヤにおいて、本発明によれば、前記保持エレメントは、１つの底面と２つの脚とを備えたＵ字形プロフィールとして形成されており、前記ローラは、対応するローラホルダを介して、前記Ｕ字形プロフィールの互いに向かい合って位置する前記脚に取り付けられている。これにより極めて簡単であり同時に極めて安定的に構成された保持エレメントが得られる。この保持エレメントはそれ自体も安定的なものであり、カーブベルトコンベヤの外側フレームのような別のエレメントに簡単に組み付けることができる。この場合、別のエレメントはもはや、ローラを収容するための全体的な安定性を提供する必要はない。何故ならばこれはＵ字形プロフィールによって達成されるからである。
【０００７】
好ましくは各ローラが１つのローラホルダに支承されていて、各ローラホルダはＵ字形プロフィールの脚に取り付けられている。この場合、ローラホルダは、Ｕ字形プロフィールの両側に、即ち、Ｕ字形プロフィールの互いに向かい合って位置する両脚に、この場合好ましくは、Ｕ字形プロフィールの脚の内側に位置する面に取り付けられている。Ｕ字形プロフィールの脚の間の間隔はこの場合、好ましくは、ローラの直径にほぼ相当する、若しくはローラの直径よりも幾分大きく形成されている。ローラは、脚の間に配置されたローラホルダによって、脚のやや上側に配置されているが、脚の間へと旋回させることができる。このようにして全体として極めて高い安定性が得られる。
【０００８】
本発明の好ましい構成では、対になって配置された２つのローラのうちの少なくとも１つのローラの回転軸線が、Ｕ字形プロフィールの両脚の間で平行に位置する１つの平面において旋回可能である。これにより、１つのローラ対の少なくとも１つのローラを、コンベヤベルトから離れるように、そしてコンベヤベルトに近づくように動かすことができる。これによりローラの間で係合エレメントによって緊締されたコンベヤベルトを容易に取り外し、場合によっては新しくすることができる。これにより本発明によるカーブベルトコンベヤのメンテナンスは極めて容易に行うことができる。このために、少なくとも１つのローラのためのローラホルダは、各脚に２つの固定点を有しており、コンベヤベルトに近い方の固定点は、この固定点を中心とした回転運動を可能にし、コンベヤベルトから遠い方の固定点は、２つの位置の間で変更可能であり、これにより、一方の位置でローラはコンベヤベルトに当接して、他方の位置ではローラはコンベヤベルトを解放する。この場合、ローラはローラの回転軸線も位置している平面で旋回される。この場合、ローラホルダ全体が、Ｕ字形プロフィールの脚の間へと旋回される。脚の互いの間隔は、ローラもこれらの脚の間に旋回して入り込むことができるような大きさである。
【０００９】
このような旋回可能性を実現するために、ローラホルダは好ましくは機械的に変形可能であり、これによりローラホルダの固定点は可逆的に解除可能である。この場合、好ましくは、コンベヤベルトから遠い方の固定点が可逆的に解除可能である。好ましくは固定点は、ローラホルダの操作レバーと、Ｕ字形プロフィールの対応する脚とに設けられた対応する係止エレメントによって形成されている。一実施形態では、操作レバーは係止突起を有しており、該係止突起は内側から、Ｕ字形プロフィールの脚に設けられた複数の係止切欠のうちの１つにおいて可逆的に位置固定可能である。逆の構成も考えられ、この構成では、１つの係止切欠が操作レバーに設けられていて、この係止切欠は脚に設けられた突出する複数の係止突起の１つに嵌まり込む。Ｕ字形プロフィールの脚には好ましくは２つの係止エレメント、特に係止切欠が設けられており、これによりローラは、ローラがコンベヤベルト若しくは係合エレメント、特にビード状の縁部に係合する第１の位置で位置固定可能であって、ローラがコンベヤベルトを解放し、これによりコンベヤベルトを取り外す若しくは取り替えることができる第２の位置で位置固定可能である。ローラホルダは好ましくは、コンベヤベルトに近い方の固定点の領域及びローラの収容部の領域で剛性的に形成されており、これに対してコンベヤベルトから遠い方の固定点の領域、特に操作レバーの領域で低い剛性で形成されている。好ましくはローラホルダは、プラスチックから、特に射出成形部品として形成されており、射出成形部品の個々の壁区分は、ローラホルダが、ローラの収容及び支承のために十分な安定性を有するような強度で形成されている。しかしながら操作レバーの領域で、壁は脆弱部又は減径部を有して形成されているので、操作レバーは運動可能であり、特にＵ字形プロフィールの脚の間で内側に向かって押すことができ、これにより、外側に向かって突出する係止突起は、脚に設けられた係止切欠から外れるように押されることができる。
【００１０】
脚の別の好ましい構成では、前記Ｕ字形プロフィールの前記脚は、１つのローラ対を形成する２つのローラの間に１つの切欠を有している。この切欠において、コンベヤベルト、特にコンベヤベルトの外側の縁部における係合エレメントは、Ｕ字形プロフィールの脚に衝突せずに、１つのローラ対を形成するローラの間を通ってガイドされる。本発明の好ましい構成では、一体的に形成されたＵ字形プロフィールに４つのローラが配置されており、そのうちの２つのローラは、コンベヤベルトの上行側用のローラ対を形成しており、別の２つのローラは、コンベヤベルトの下行側用のローラ対を形成している。この場合、各Ｕ字形プロフィールは、鉛直の配置に対して、カーブベルトコンベヤに、特に側壁プロフィールに設けられている。好ましくは、Ｕ字形プロフィールの底部に切欠が設けられており、この切欠を通して、Ｕ字形プロフィールを側壁プロフィールにねじ及びクランプ部材を介して結合することができる。好ましくは、Ｕ字形プロフィールの脚は、ローラ対の間の領域に別の切欠を有している。この切欠は、ローラホルダの操作レバーがこの切欠において往復運動可能であるように設計されているので、保持エレメントに配置された４つのローラの真ん中のローラの旋回可能性も得られる。
【００１１】
本発明の別の態様は、冒頭で述べた形式のカーブベルトコンベヤ用の保持エレメントを準備することであり、この保持エレメントには、１つのローラ対を形成する少なくとも２つのローラが配置されており、保持エレメントは、１つの底部と２つの脚とを有したＵ字形プロフィールとして形成されていて、ローラはＵ字形プロフィールの互いに向かい合った脚に取り付けられている。このような保持エレメントの別の構成に関しては、この保持エレメントについても詳しく説明されている、カーブベルトコンベヤの上記説明を参照されたい。
【００１２】
以下に本発明の実施例を図面につきさらに詳しく説明する。
【図面の簡単な説明】
【００１３】
【図１】カーブベルトコンベヤの概略図である。
【図２】本発明によるカーブベルトコンベヤの保持エレメントを、カーブベルトコンベヤの側方部分に取り付けた状態で示した斜視図である。
【図３】コンベヤベルトが交換可能な状態で保持エレメントを示した斜視図である。
【図４】ローラホルダを示した斜視図である。
【００１４】
図１には、カーブベルトコンベヤ１が斜視図で示されている。このカーブベルトコンベヤ１はフレーム２を有しており、このフレーム２の上でコンベヤベルト３が循環しており、このコンベヤベルト３では上行側４と下行側５とが区別されている。カーブベルトコンベヤ１の両端部には変向ローラ６が設けられており、この変向ローラ６の周りをコンベヤベルト３が回転している。側壁プロフィール７には複数のローラ２０が設けられており、これらのローラ２０は、コンベヤベルト３の外縁部に配置された係合エレメント８に係合していて、これによりコンベヤベルト３をガイドしている。
【００１５】
図２には、側壁プロフィール７の一部が斜視図で示されている。この側壁プロフィール７は、側壁プロフィール７に取り付けられた保持エレメント１０を備えていて、この保持エレメント１０には４つのローラ２０が取り付けられている。保持エレメント１０はＵ字形プロフィールの形式で形成されており、底面１１又は底面区分を有しており、この底面１１から直角に２つの脚１２，１３が互いに平行に延びている。Ｕ字形プロフィールとして形成されている保持エレメント１０の底面１１には幾つかの切欠１４が設けられており、この切欠１４によって保持エレメント１０が側壁プロフィール７に結合されている。側壁プロフィール７には複数の溝１５が設けられており、この溝１５にはクランプ部材１６を配置することができる。クランプ部材１６は保持エレメント１０に切欠１４を通ってねじ留めされて固定される。保持エレメント１０は全体としては鉛直に向けられるので、４つのローラ２０は互いに上下に配置されている。１つのローラ対を成すそれぞれ２つのローラの間にコンベヤベルト３が、特に、コンベヤベルト３の係合エレメント８がガイドされている。図面には、複数のアーム９を備えた係合エレメント８が示されている。これらのアーム９の間にコンベヤベルト３が挿入され、例えば接着及び／又はシーム結合によってアーム９に結合される。１つのローラ対のローラ２０は、互いに１００〜１２０°の、特に１１０°の角度を成して位置しており、コンベヤベルト３（図２には示されていない）の係合エレメント８を両側から押圧している。ローラ２０はローラホルダ２５に支承されており、ローラホルダ２５は保持エレメント１０内に収容されている。ローラホルダ２５は、保持エレメント１０の互いに向かい合って位置する脚１２，１３に配置されており、特に、脚１２，１３の内面に取り付けられている。コンベヤベルト３を、特に係合エレメント８を、ローラ２０の間の位置から取り外すことができるように、少なくとも１つのローラ２０は旋回可能に配置する必要がある。このために脚１２，１３には複数の係止切欠２１，２２，２３が設けられている。この場合、１つの係止切欠２１は、ローラ２０のコンベヤベルト３に近い側に、２つの係止切欠２２，２３は、Ｕ字形プロフィールの脚のコンベヤベルト３から遠い側に、互いに間隔を置いて配置されている。ローラホルダ２５は２つの係止突起２６，２７を有しており、これらの係止突起２６，２７は係止切欠に対応しており、係止切欠と共に固定点を形成する。係止突起２６は係止切欠２１において堅固にロックされていて、この場合ローラホルダ２５は、係止突起２６の軸線を通って延びる軸線を中心として旋回可能である。コンベヤベルト３から遠い側では、係止突起２７を係止切欠２２又は係止切欠２３内へと入れることができる。図示したように、係止突起２２内で係止突起２７がロックされている場合には、コンベヤベルト若しくはコンベヤベルトの係合エレメント８にローラ２０が係合している。ローラホルダ２５が下方に動かされると、係止突起２７は係止切欠２３にはまり込み、この場合、ローラ２０全体が下方に旋回し、コンベヤベルトは解放されてメンテナンス目的で取り外すことができる。
【００１６】
位置の変更は、ローラホルダ２５の両側に設けられた操作レバー２９を介して行われる。操作者は操作レバー２９を内側に押すことができ、これにより係止突起２７は係止切欠２２から外れて内側に向かって押され、スライドさせることができ、次いで操作レバー２９をゆるめると所望の別の位置へ、即ち特に係止切欠２３内に再び係止する。保持エレメント１０、特にＵ字形プロフィールの脚１２，１３は、対になって配置されたローラ２０の間に切欠１８を有しているので、この切欠１８においてコンベヤベルトが動くことができる。切欠１８の両側で脚１２，１３の上方の区分１９は約５５°の角度をもって互いに傾けられている。従ってこの上方の区分１９は、ローラホルダに配置されたローラ２０に対して平行である。一体的な保持エレメント１０には２つのローラ対が配置されている。この場合、２つの切欠１８が脚に設けられていて、これらの切欠１８はそれぞれ、１つのローラ対の２つのローラの間に配置されている。第２の切欠２８は両ローラ対の間に配置されていて、ローラホルダ２５と、特に、保持エレメント１０を越えて突出している操作レバー２９を下方に動かすことができるように利用される。さらに、保持エレメント１０のアライメントにより生じる非対称性、即ち、下方の端部領域に設けられた切欠３２について言及する。この切欠３２によって、保持エレメント１０の底面１１の領域に縁部３３が形成され、この縁部３３は、側壁プロフィール７の突出した段部３４に対して当接している。端部領域は下方に向けられているので、保持エレメント１０に作用する力は機械的にさらに良好に側壁プロフィール７に支持されることができる。
【００１７】
図３には保持エレメント１０の詳細な斜視図が示されており、この図で右側のローラ２０はＵ字形プロフィールの脚１２，１３の間に旋回させられている。これによりコンベヤベルト若しくはコンベヤベルトに配置された係合エレメント８は解放され、ベルトを取り外すことができる。図２とは異なり、この図面では、ローラホルダ２５の係止突起２７はもはや係止切欠２２においてではなく係止切欠２３においてロックされていることが明らかに示されている。即ちローラホルダ２５は下方に向かって旋回されていて、ひいては、ローラホルダ２５の軸３５において回転するローラ２０も一緒に旋回されている。脚１２，１３の互いの間隔は、ローラ２０がこれらの脚１２，１３の間にまっすぐに旋回して入り込むことができるような寸法に設定されている。
【００１８】
図４には、ローラホルダ２５の斜視図が示されている。ローラホルダ２５に配置された軸３５と、側方の係止突起２６，２７と、操作レバー２９については既に説明した。軸３５は、極めて安定的な中央の中心ブロック３６に配置されていて、この中心ブロック３６は横方向ストラット３７を介して、外側の両側方エレメント３９に結合されている。内側で密に接触して保持エレメント１０の脚１２，１３の間に押し込まれるような寸法に設計されている側方エレメント３９には係止突起２６，２７が一体成形されている。側方エレメント３９は前方領域で、即ち特に、ベルトに近い係止突起２６から横方向ストラット３７までの間で堅固に形成されている。後方領域、即ち特に、横方向ストラット３７と後方の係止突起２７の間で、側方エレメント３９は材料脆弱部４０を有しているので、操作レバー２９への押圧により、側方エレメント３９は、この領域で規定されたように曲げられ、これにより係止突起２７は各係止切欠２２又は２３から外れて動かすことができる。
【図１】
0005714174.tif 000002
【図２】
0005714174.tif 000003
【図３】
0005714174.tif 000004
【図４】
0005714174.tif 000005